(57)【要約】【課題】特に、転写材のカールの方向に関わりなく、転写後の転写材を定着装置内に安定して送り込むことができる転写材搬送方法、および、転写材搬送装置を提供すること。【解決手段】像担持体から分離された転写材を搬送ベルトに吸着させながら定着手段に向けて搬送する画像形成装置における転写材搬送方法において、前記転写材のカール状態を検出手段で検出し、そのカール状態に応じて前記搬送ベルトの中央部を基準位置から上方または下方に変位させた状態で前記転写材を搬送するように制御手段で制御することを特徴とする転写材搬送方法。【選択図】図２
2008185789.tif 000002
【特許請求の範囲】
【請求項１】
像担持体から分離された転写材を搬送ベルトに吸着させながら定着手段に向けて搬送する画像形成装置における転写材搬送方法において、
前記転写材のカール状態を検出手段で検出し、そのカール状態に応じて前記搬送ベルトの中央部を基準位置から上方または下方に変位させた状態で前記転写材を搬送するように制御手段で制御することを特徴とする転写材搬送方法。
【請求項２】
像担持体から分離された転写材を搬送ベルトに吸着させながら定着手段に向けて搬送するように構成した転写材搬送装置において、
転写材搬送方向に見て、前記搬送ベルトを複数連で構成するとともに、その両端に位置する搬送ベルト懸架用の２本のローラのみを位置固定とし、当該位置固定ローラ間に設けられる搬送ベルト懸架用の共通ローラを位置変位可能となし、更に、
前記転写材のカール状態を検出手段で検出するとともに、当該カール状態が凸カールである場合、上下に位置移動可能に設けた前記共通ローラを位置変位手段を介して上方に変位させ、また、前記カール状態が凹カールである場合、前記共通ローラを前記位置変位手段を介して下方に変位させるように制御手段で制御する構成としたことを特徴とする転写材搬送装置。
【請求項３】
像担持体から分離された転写材を搬送ベルトに吸着させながら定着手段に向けて搬送するように構成した転写材搬送装置において、
転写材搬送方向に見て、前記搬送ベルトを２連で構成するとともに、両端に設けた位置固定ローラにそれぞれの搬送ベルトの一端側を、また、前記位置固定ローラの間に設けた共通ローラに、それぞれの搬送ベルトの他端側を懸架し、
前記転写材のカール状態を検出手段で検出するとともに、当該カール状態が凸カールである場合、上下に位置移動可能に設けた前記共通ローラを位置変位手段を介して上方に変位させ、また、前記カール状態が凹カールである場合、前記共通ローラを前記位置変位手段を介して下方に変位させるように制御手段で制御する構成としたことを特徴とする転写材搬送装置。
【請求項４】
像担持体から分離された転写材を搬送ベルトに吸着させながら定着手段に向けて搬送するように構成した転写材搬送装置において、
転写材搬送方向に見て、前記搬送ベルトを３連で構成するとともに、
両端に設けた位置固定ローラに、両端側に位置づけられる第１、第２の搬送ベルトの一端側を懸架し、また、前記位置固定ローラの間に設けた２本の共通ローラに対して近い側に位置する共通ローラに、前記第１、第２のそれぞれの搬送ベルトの他端側を懸架し、更に、２本の前記共通ローラに第３の搬送ベルトを懸架し、
前記転写材のカール状態を検出手段で検出するとともに、当該カール状態が凸カールである場合、上下に位置移動可能に設けた前記共通ローラを位置変位手段を介して上方に変位させ、また、前記カール状態が凹カールである場合、前記共通ローラを前記位置変位手段を介して下方に変位させるように制御手段で制御する構成としたことを特徴とする転写材搬送装置。
【請求項５】
前記転写材を前記搬送ベルトに吸着させる吸引手段が、各連を形成する搬送ベルトの内側に設けられていることを特徴とする請求項２乃至４に記載の転写材搬送装置。
【請求項６】
前記転写材を前記搬送ベルトに吸着させる吸引手段は、各連を構成する搬送ベルトの内側に設けられたダクトに繋がった吸引ファンであることを特徴とする請求項２乃至４に記載の転写材搬送装置。
【請求項７】
請求項２乃至６に記載の転写材搬送装置を有することを特徴とする画像形成装置。
【発明の詳細な説明】
【技術分野】
【０００１】
本願発明は、複写機、プリンタ等の画像形成装置における転写材搬送方法、転写材搬送装置、および、前記転写材搬送装置を具備した画像形成装置に係わる。
【背景技術】
【０００２】
感光体ドラム等からなる像担持体上に原稿、あるいは、画像データに対応する静電荷潜像（静電荷パターン）を作製し、次に、当該潜像をトナー像に変換し、次いで、当該トナー像を転写材に転写し、定着処理を行う構成の画像形成装置は周知である。
【０００３】
斯様な画像形成装置において、像担持体から分離される転写後の転写材を定着装置に搬送する転写材搬送手段として搬送ベルトが一般的に使われている。
【０００４】
前記搬送ベルトを含む転写材搬送装置の構成は種々あるが、基本的には、多数の小孔を穿った搬送ベルトと転写材を搬送ベルト上に吸着させるための吸引手段からなる。
【０００５】
このような構成としているのは、分離後の転写材が搬送ベルト上で動いてしまう不具合を排除し、常に、安定した状態で転写材を定着装置に向けて送り込むためである。
【０００６】
しかしながら、搬送ベルト上での位置が保たれたとしても、転写材は両面画像形成の場合などに、その先端および／または後端がカールし易いという問題がある。
【０００７】
そして、例えば、厚紙で小サイズの転写材の搬送方向における先端部がカールした状態になっていると、その先端部を搬送ベルトに吸着させることができないことがあり、結果として、定着装置の入口部で転写材が詰まってしまう（ジャム）危険性がある。
【０００８】
このような、カールした転写材に対する方策として下記の提案が成されている。
【０００９】
即ち、定着装置の入口手前の位置に規制手段を設けておき、転写後の転写材の先端および後端を検知するシート検知手段が転写材の先端または後端を検知すると、所定のタイミングで前記規制手段を規制位置に移動させて転写材の浮き上がりを押さえるようにした構成がそれである。
【００１０】
或いは、転写後のシートのカールを検知手段で検知したとき、その検知結果に基づいて定着装置の入口と搬送ベルトの定着装置側の搬送面との落差を調整するようにした構成がそれである（特許文献１）。
【特許文献１】特開平６−１２７７４２号公報
【発明の開示】
【発明が解決しようとする課題】
【００１１】
しかしながら、特許文献１に開示の１つ目の提案においては、例えば、規制手段で転写材の画像面側先端をはじく態様であるので転写トナー像を乱す危険性が考えられる。
【００１２】
また、２つ目の提案においては、吸引ファンの吸引効率が低いと考えられ、更に、転写材のカールの方向が凹カールの場合には、それ相当に効果があると思われるが、凸カールの場合に対応ができないという問題がある。
【００１３】
本願発明は、上述の問題点に鑑みて成されたもので、主たる目的は、特に、転写材のカールの方向に関わりなく、転写後の転写材を定着装置内に安定して送り込むことができる転写材搬送方法、および、転写材搬送装置を提供することにある。
【課題を解決するための手段】
【００１４】
本願発明の目的は、下記の構成要件によって達成することができる。
【００１５】
（１）
像担持体から分離された転写材を搬送ベルトに吸着させながら定着手段に向けて搬送する画像形成装置における転写材搬送方法において、
前記転写材のカール状態を検出手段で検出し、そのカール状態に応じて前記搬送ベルトの中央部を基準位置から上方または下方に変位させた状態で前記転写材を搬送するように制御手段で制御することを特徴とする転写材搬送方法。
【００１６】
（２）
像担持体から分離された転写材を搬送ベルトに吸着させながら定着手段に向けて搬送するように構成した転写材搬送装置において、
転写材搬送方向に見て、前記搬送ベルトを複数連で構成するとともに、その両端に位置する搬送ベルト懸架用の２本のローラのみを位置固定とし、当該位置固定ローラ間に設けられる搬送ベルト懸架用の共通ローラを位置変位可能となし、更に、
前記転写材のカール状態を検出手段で検出するとともに、当該カール状態が凸カールである場合、上下に位置移動可能に設けた前記共通ローラを位置変位手段を介して上方に変位させ、また、前記カール状態が凹カールである場合、前記共通ローラを前記位置変位手段を介して下方に変位させるように制御手段で制御する構成としたことを特徴とする転写材搬送装置。
【００１７】
（３）
像担持体から分離された転写材を搬送ベルトに吸着させながら定着手段に向けて搬送するように構成した転写材搬送装置において、
転写材搬送方向に見て、前記搬送ベルトを２連で構成するとともに、両端に設けた位置固定ローラにそれぞれの搬送ベルトの一端側を、また、前記位置固定ローラの間に設けた共通ローラに、それぞれの搬送ベルトの他端側を懸架し、
前記転写材のカール状態を検出手段で検出するとともに、当該カール状態が凸カールである場合、上下に位置移動可能に設けた前記共通ローラを位置変位手段を介して上方に変位させ、また、前記カール状態が凹カールである場合、前記共通ローラを前記位置変位手段を介して下方に変位させるように制御手段で制御する構成としたことを特徴とする転写材搬送装置。
【００１８】
（４）
像担持体から分離された転写材を搬送ベルトに吸着させながら定着手段に向けて搬送するように構成した転写材搬送装置において、
転写材搬送方向に見て、前記搬送ベルトを３連で構成するとともに、
両端に設けた位置固定ローラに、両端側に位置づけられる第１、第２の搬送ベルトの一端側を懸架し、また、前記位置固定ローラの間に設けた２本の共通ローラに対して近い側に位置する共通ローラに、前記第１、第２のそれぞれの搬送ベルトの他端側を懸架し、更に、２本の前記共通ローラに第３の搬送ベルトを懸架し、
前記転写材のカール状態を検出手段で検出するとともに、当該カール状態が凸カールである場合、上下に位置移動可能に設けた前記共通ローラを位置変位手段を介して上方に変位させ、また、前記カール状態が凹カールである場合、前記共通ローラを前記位置変位手段を介して下方に変位させるように制御手段で制御する構成としたことを特徴とする転写材搬送装置。
【００１９】
（５）
前記（２）乃至（４）に記載の転写材搬送装置を有することを特徴とする画像形成装置。
【発明の効果】
【００２０】
（１）乃至（４）の発明においては、転写材のカール方向によって搬送ベルト中央部（中間部）の位置移動方向を変え、この態様によって転写材のカール方向が凹凸のいずれであっても当該転写材を安定して定着装置内に送り込めるので、転写材の処理性能を向上させることができる。
【００２１】
（５）の発明においては、上記（２）乃至（４）に記載の構成を有する転写材搬送装置を具備する画像形成装置であり、品質のよい記録物を安定して提供できる。
【発明を実施するための最良の形態】
【００２２】
以下、本願発明に係わる実施の形態を図面に基づいて説明する。
【００２３】
図１は、デジタルカラー複写機からなる画像形成装置の構成を示す概略図である。
【００２４】
図に示す画像形成装置は、装置本体上部に自動原稿送り装置１を有するとともに、内部に画像読み取り部２、画像形成部３、ベルトユニット４のためのベルト設置部、給紙部５、定着装置Ｔ、反転排紙・再給紙部６、および、反転搬送手段であるＡＤＵ７を有している。
【００２５】
前記自動原稿送り装置１は、原稿を１枚ずつ送り出して画像読み取り位置へと搬送し、画像読み取りが終わった原稿を所定の場所に排出する装置である。
【００２６】
前記自動原稿送り装置１は、原稿を載置する原稿載置台１０１、載置された原稿を分離する原稿分離手段１０３、分離された原稿を搬送する原稿搬送部１０５、搬送された原稿を排紙する原稿排紙手段１０７、排紙された原稿を載置する原稿排紙台１０９、および、原稿の両面の画像を読み取る両面コピーモードにおいて、当該原稿の表裏面を反転させるべく使用されるローラ対からなる原稿反転手段１１１を有している。
【００２７】
処理プロセスがらみで述べるに、前記原稿載置台１０１上に載置された複数枚の原稿（不図示）は、原稿分離手段１０３によって１枚づつ分離され、前記原稿搬送部１０５を介して画像読み取り位置に向けて搬送される。
【００２８】
前記原稿読み取り位置は、前記原稿搬送部１０５の下方部に設けられており、そこで、画像読み取り装置２を構成するスリット２０１を介して、原稿の画像が読み取られ、読み取られた原稿は原稿排紙手段１０７によって原稿排紙台１０９上に排出される。
【００２９】
なお、両面コピーモードにおいては、片面が読み取られて搬送されてくる原稿は前記原稿反転手段１１１により二点鎖線の矢印で示す方向に搬送され、進行方向における後端を咬んでいる状態で当該原稿反転手段１１１の駆動が停止された後の逆方向回転により前記原稿搬送部１０５を介して、再び画像読み取り位置に導かれ、しかる後、前記原稿排紙手段１０７によって原稿排紙台１０９上に排出される。
【００３０】
上記の工程は、原稿載置台１０１上に載置された原稿の枚数分繰り返される。
【００３１】
前記画像読み取り装置２は、前記スリット２０１、原稿を照射するためのランプ２１３と原稿からの反射光を反射させる第１ミラー２１５とを一体化してなる第１ミラーユニット２０５、第１ミラー２１５からの光を反射させる第２ミラー２１７と第３ミラー２１９とを略Ｖ字状に一体化してなる第２ミラーユニット２０７と、当該第３ミラー２１９からの反射光を撮像素子上に結像させる結像レンズ２０９、および、結像レンズ２０９によって結像された光像を光電変換して画像情報を得るライン状の撮像素子（以下、ＣＣＤという）２１１を有している。
【００３２】
前記画像情報は、適宜の画像処理を施された後、一旦、図示しないメモリに蓄積されるようになっている。
【００３３】
前記自動原稿送り装置１によって送られている原稿を、画像読み取り装置２で読み取る態様においては、第１ミラーユニット２０５及び第２ミラーユニット２０７は、図示の如き位置に固定されている。
【００３４】
前記画像読み取り装置２によって読み取られた各色毎の画像信号はメモリより順次取り出され、静電荷潜像形成手段である各露光光学系にそれぞれ電気信号として入力される。
【００３５】
前記画像形成部３は色分解画像に応じたトナー像を形成するイエロー（Ｙ）、マゼンタ（Ｍ）、シアン（Ｃ）、黒（ＢＫ）の４組の画像形成手段（以下、画像形成ユニットという）３０を含む。
【００３６】
それぞれの画像形成ユニット３０は、例えば、有機光導電体を含有させたポリカーボネイトなどの樹脂よりなる感光層をドラム状の金属基体上に設けてなる像担持体（以下、感光体ドラムという）３１０、スコロトロン形式からなる帯電器３２０、画像書き込み手段（静電荷潜像形成手段と同義）である露光光学系３３０、静電荷潜像を顕像化する現像装置３８０、転写手段３４０、転写後の感光体ドラム３１０の表面をクリーニングするブレード（クリーニング手段）を含むクリーニング装置３５０を主要構成要素とする。
【００３７】
前記現像装置３８０は、磁性キャリア（以下、単にキャリアという）と非磁性トナー（以下、単にトナーという）とを含む二成分現像剤を収納し、また、位置固定であって周方向に複数の磁極を配列せしめた磁石を内蔵する可回転、かつ、非磁性の円筒形状からなる現像剤担持体（現像スリーブ）等を有しているが、この構成自体は公知なので詳細な説明は割愛する。
【００３８】
なお、前記露光光学系３３０はレーザ光学系で構成される露光ユニットであり、また、前記転写手段３４０は後述する回転ベルト４０１を介して前記感光体ドラム３１０の周面一部に対向している。
【００３９】
上述した４組の前記画像形成ユニットの機械的構成は基本的に同じであるので、参照符号は１組みのユニットについてのみ付し、他のユニットについては省略してある。
【００４０】
それぞれの画像形成ユニット３０は、ベルト設置部において縦方向に長く配設された、ベルトユニット４を構成するループ状の回転ベルト（以下、中間転写ベルトという）４０１の一平面（張設面）Ａに沿って、上から、イエロー、マゼンタ、シアン、黒の順に配列されている。
【００４１】
前記中間転写ベルト４０１と、当該中間転写ベルトを回転可能に懸架する支持ローラ４０５、４０６、４０７、および、バックアップローラ４１０等がベルトユニット４を構成し、また、前記バックアップローラ４１０は、中間転写ベルト４０１を挟んで当該バックアップローラと押圧しながら回転するように対向配置した転写ローラ５１０とで二次転写手段を構成している。
【００４２】
上記の画像形成ユニット３０とベルトユニット４の構成とによる画像形成は次のようになされる。
【００４３】
画像形成プロセスの開始に伴って、反時計方向に回転する感光体ドラム３１０の表面は帯電器３２０により所定の極性に帯電される。
【００４４】
次いで、露光光学系３３０による第１の色信号、即ち、イエロー（Ｙ）の画像信号に対応する露光が施され、当該（Ｙ）の画像に対応する潜像が前記感光体ドラム３１０上に形成される。
【００４５】
前記潜像は現像装置３８０の現像剤による接触または非接触現像処理により反転現像されて（Ｙ）のトナー像に変換された後、転写手段３４０の作用によって中間転写ベルト４０１上に転写される。
【００４６】
第１の色信号による画像形成開始から所定の時間後に順次開始される他の色信号による画像形成は上記と同様のプロセスにより、マゼンタ（Ｍ）、シアン（Ｃ）、黒（ＢＫ）の各画像形成ユニットによって作られ、それぞれのトナー像が前記（Ｙ）のトナー像のある画像領域と重畳するように順次転写され、前記中間転写ベルト４０１上に重ね合わせのカラートナー像が形成される。
【００４７】
一方、転写処理終了後の前記感光体ドラム３１０の表面はクリーニング手段３５０で清掃され、新たな画像形成のための準備が整えられる。
【００４８】
なお、前記感光体ドラム３１０、あるいは、中間転写ベルト４０１に対する個々の画像形成プロセスの開始タイミングは、前記中間転写ベルト４０１の一方の側、本実施の形態においては外側であって、前記中間転写ベルトの回転方向に見て、前記転写ローラ５１０のある位置から１組目（イエロー）の画像形成ユニットが設けてある位置までの区間に付設したレジストセンサ４１３が、当該中間転写ベルト４０１に設けた、例えば、塗料を用いて形成した基準マークを検知した時を起点として計時を行い、所定時間経過毎に、順次、（Ｙ）、（Ｍ）、（Ｃ）、（ＢＫ）プロセスを開始させるように構成してある。
【００４９】
前記レジストセンサ４１３による検知信号を取り込み、計時を監視するとともに、個々のプロセス等に関する制御はコンピュータを含む制御部（制御手段）Ｓで行う。
【００５０】
次に、中間転写ベルト上に形成されたカラートナー画像が転写材に転写され、装置外に排紙されるまでの工程に絡めて、装置のその他の構成につき簡単に述べる。
【００５１】
前記中間転写ベルト４０１上における画像形成に対応した適宜のタイミングで、転写材（以下、用紙という）Ｐが給紙部５の送り出し部５０１（５１１、５２１）に位置する給紙ローラ５０３（５１３、５２３）によって給紙され、分離ローラ５０６、および給紙経路上に設けた複数の搬送ローラ対Ｒ１〜Ｒ７を介して、レジストローラ５５１に向けて搬送される。
【００５２】
給紙される用紙Ｐは、記録枚数、記録開始釦、或いは、記録倍率やトナー濃度等を設定することができる操作盤１５０上で指定されたサイズの用紙であるが、他の公知技術を用いて選択することもできる。
【００５３】
前記用紙Ｐは、前記レジストローラ５５１に当接された後、当該前記レジストローラ５５１の回転再開によって前記中間転写ベルト４０１上のカラートナー像領域と重畳するように再給紙される。
【００５４】
次いで、前記用紙Ｐは二次転写部において前記バックアップローラ４１０と前記転写ローラ５１０とにより前記中間転写ベルトとともに押圧挟持されながらニップ部から送り出され、この間に、前記中間転写ベルト４０１上のカラートナー画像が前記用紙Ｐ上に転写される。
【００５５】
転写の際、前記転写ローラ５１０に適宜の転写バイアス電圧を印加するように構成することが望ましい。
【００５６】
トナー像が転写された前記用紙Ｐは前記中間転写ベルト４０１から分離され、転写材搬送装置８を構成する搬送ベルト（不図示）上に吸着させられ、定着装置Ｔに向けて搬送される。
【００５７】
本願発明の主体となる前記転写材搬送装置８の詳細については後述する。
【００５８】
前記定着装置Ｔは定着ヒータを内蔵する定着ローラＴ１と、当該定着ローラと圧接しながら回転する圧着ローラＴ２とを有し、画像を形成しているカラートナーは、両ローラによる加熱・加圧により溶融され、用紙Ｐ上に定着される。
【００５９】
定着装置Ｔによる定着処理終了後の用紙Ｐは、その下流に設けてある排紙ローラ６０３により搬送され、装置本体外に設けてある排紙トレイ上に排出される。
【００６０】
一方、二次転写終了後の前記中間転写ベルト４０１の表面はブレードからなるクリーニング手段４１５によってクリーニングされ、新たなトナー像を担持する準備がなされる。
【００６１】
また、図において、通路切替部材６０１の実線位置は定着処理後に用紙Ｐの上下面を反転させて排出する場合に保持される位置であり、破線位置は、上述の如く、定着装置から送り出された用紙をそのまま排出する際に保持される位置である。
【００６２】
例えば、用紙Ｐの反転排出においては、前記定着装置Ｔから送り出された用紙Ｐは前記通路切替部材６０１の右側の辺に沿って下方に案内され、ローラ対６０２によって進行方向における後端が挟持された状態とされた後の当該ローラ対６０２の逆回転により上昇され、前記切替部材６０１の左側の辺を通って前記排紙ローラ６０３に達し、かつ、当該排紙ローラで排出されるように規制される。
【００６３】
更に、前記ＡＤＵ７を用いる両面コピーモードの場合の用紙Ｐの挙動は、反転排出の場合と同様に、片面に画像が形成された定着処理後の用紙Ｐを前記切替部材６０１の右側の辺に沿って下方に導き、進行方向における用紙Ｐの後端をローラ対６０５により挟持した状態で搬送停止せしめた後、当該ローラ対６０５を逆回転せしめ、ガイド板Ｇに沿って上昇させ、複数のローラ対７０１、７０３、７０５を有するＡＤＵ７に導くことで用紙Ｐの反転を達成する。
【００６４】
用紙Ｐの第２面に対する画像形成プロセスは前述と同じであり、前記定着装置Ｔから送り出された後の排出については前述した何れかを選択することになる。
【００６５】
尚、図中Ｐ１，Ｐ２，Ｐ３は所定量の用紙Ｐを収納することができる用紙収納装置であり、図の手前側に引き出し可能に構成してある。
【００６６】
また、参照符号９は開閉扉であり、反転排紙・再給紙部６の近傍において生じたジャム紙の排除（ジャム処理）をするときに操作される。
【００６７】
前記開閉扉９は、自身の下端部において、画像形成装置本体の固定部に回動可能に支軸されている。
【００６８】
次に、転写材搬送装置の構成について図２乃至図６を用いて説明する。
【００６９】
図２は２連の搬送ベルトを転写材搬送手段とした転写材搬送装置の概略平面図であり、図３は、感光体ドラム上に形成したトナー像を直接転写材上に転写する態様の画像形成装置とした時の転写材搬送装置近傍を含めて示す説明用の側面図、図４は凹カールの用紙の搬送時における転写材搬送装置の態様を示す側面図、図５は凸カールの用紙の搬送時における転写材搬送装置の態様を示す側面図、図６は搬送ベルトを基準位置から図４および図５の位置に変位せしめる機構の一例を示す部分図である。
【００７０】
また、図１に示す画像形成装置においては、転写後の用紙Ｐの搬送面が斜め上方に向いている構成となっているが、転写材搬送装置の基本的な構成および当該構成による効果が実質的に変わらないことから、図３においては、転写材搬送面を水平として示す。
【００７１】
更に、図中、既出の手段（部材）と同じ手段或いは同じ機能を有する手段については同一の参照符号を付してある。
【００７２】
図２において、参照符号８０１，８０２は装置本体側の固定枠上に設けた可回転の位置固定ローラ、８０３は前記位置固定ローラ８０１，８０２間にあって、基準位置から上下方向（図２における紙面の表裏方向）に直線変位（移動）可能であり、かつ、可回転である共通ローラを示す。
【００７３】
また、前記位置固定ローラ８０１は駆動ローラであり、他の位置固定ローラ８０２と共通ローラ８０３は搬送ベルトを介して動力伝達される従動ローラである。
【００７４】
なお、前記共通ローラ８０３の直線移動は次のような構成で達成できる。
【００７５】
例えば、装置の固定枠上に、前記共通ローラ８０３が移動できる寸法を有する縦長の直線状のスリットを設けるとともに、当該スリットの両側対象位置の上下４カ所にピンを設ける。
【００７６】
一方、前記共通ローラ８０３の両端部をそれぞれ可回転支持するためのホルダ上に設けた縦長のスリットに前記固定枠上のピンを嵌合させるとともに、当該ホルダをバネで常時、下側方向に付勢させる。
【００７７】
そして、前記ホルダの下部に設けた折曲部（カムフォロワ機能）と、モータ（駆動源）に機械的に繋げられたカムの周面とを前記バネの付勢力によって圧接状態に保つ（図６参照）。
【００７８】
なお、前記共通ローラの直線移動機構は上記に限られるものではなく、例えば、ウオームとウオームホイールの組み合わせ、ラック：ピニオン機構、ソレノイド、ネジ棒等、多くの公知技術や手段の組み合わせにより達成することができる。
【００７９】
前記共通ローラ８０３を所定方向に変位させるためのモータや、カム、カムフォロワ、或いは、ウオームとウオームホイール等が、共通ローラ或いは共通ローラを介しての搬送ベルトの位置変位手段となる。
【００８０】
８０４は前記位置固定ローラ８０１の端部に設けられた歯車で、装置本体側に設けられる駆動系から動力を受ける態様にある。
【００８１】
Ｂ１乃至Ｂ３は前記ローラに懸架された搬送ベルトで、転写後、像担持体から分離される用紙Ｐを定着装置Ｔに向けて搬送する機能を有する。
【００８２】
ループ状に形成されている搬送ベルトＢ１の一端側（張設した場合にできる側）は、前記位置固定ローラ８０１の幅方向における略中央部に設けた懸架位置に懸架され、保持されている。
【００８３】
また、前記搬送ベルトＢ１の他端側は、前記共通ローラ８０３の略中央部に設けた懸架位置に懸架され、保持されている。
【００８４】
一方、搬送ベルトＢ２，Ｂ３は前記搬送ベルトＢ１を挟んだ両側位置であって、前記位置固定ローラ８０２と前記共通ローラ８０３とに懸架され、保持されている。
【００８５】
前記位置固定ローラ８０１，８０２のベルト懸架位置における外径は前記共通ローラ８０３の外径と等しくされている。
【００８６】
尚、これらローラ群の軸心位置は図３に示すように同じ高さ位置を有し、搬送ベルトＢ１乃至Ｂ３の上面（用紙吸着搬送面）を基準位置である略同一水平面上に位置させる。
【００８７】
前記搬送ベルトＢ１乃至Ｂ３には多数の小孔ｈが穿ってあり、後述する吸引手段の吸引力を用紙Ｐに及ぼして、当該搬送ベルト上に吸着させる。
【００８８】
８０５はガイド板で、前記ローラ群８０１，８０２，８０３の回転に支障を与えないように、適宜の切り欠きが形成され、また、搬送ベルトのある部位においては、当該搬送ベルトの内側位置を占めており、両側部を介して装置固定枠に固定されている。
【００８９】
８１０は前記ガイド板８０５の幅方向に適宜の間隔をもって形成した凸部で、その頂上の高さ位置は、前記搬送ベルトの高さ位置よりも若干低くなっている。
【００９０】
尚、各前記搬送ベルトの領域内であって、破線で示す矩形領域８１５乃至８１７は、吸引ファンからなる吸引手段８２０の作用するエリアを示す（図３参照）。
【００９１】
吸引手段８２０は、連を形成する各々の搬送ベルトＢ１乃至Ｂ３のループ内部に備えられ、上面部を残して周囲がボックス状に区画されている。
【００９２】
但し、例えば、１つの吸引手段で、搬送ベルトＢ２，Ｂ３に関連した前記エリア８１６，８１７を賄うことも可能である。
【００９３】
ここで、「連」とは、用紙の搬送方向にみて、異なった位置に配備された搬送ベルトを含む構体を意味する。
【００９４】
換言すれば、用紙の進行方向にみて、一連目は搬送ベルトＢ２，Ｂ３、位置固定ローラ８０２、および、共通ローラ８０３を含んで形成される構造といえる。
【００９５】
また、２連目は搬送ベルトＢ１，共通ローラ８０３、および、位置固定ローラ８０１を含んで形成される構造といえる。
【００９６】
なお、本願明細書において、搬送ベルトＢ１の如くにベルトを特定する必要のある場合を除き、例えば、複数連の搬送ベルトで構成された用紙搬送方向のベルト部を、説明の便宜上、単に搬送ベルトと表現することがある。
【００９７】
図３において、レジストローラ５５１よりも手前の位置に示すＳ５，Ｓ１０のそれぞれは、用紙Ｐのカールの方向および大きさを検出する検出手段であり、光センサからなる。
【００９８】
前記検出手段Ｓ５，Ｓ１０の作動に伴う用紙の検出出力は光電変換され、例えば、メモリに記憶してあるテーブルと比較され、カールの方向と大きさが判断される。
【００９９】
前記検出手段の作動タイミング、検出出力の比較、判断、および、その結果に基づく前記転写材搬送装置８の作動（共通ローラの位置変位の意）等の一連の制御は、前記制御装置（制御手段）Ｓによって実施される。
【０１００】
定着装置Ｔは、上側ガイドＴ１０と下側ガイドＴ２０を入口部に備え、前記転写材搬送装置８により搬送される用紙の先端部を、前記定着ローラＴ１と圧着ローラＴ２とのニップ部Ｎに向けてガイドする構成を有する。
【０１０１】
また、実施の形態においては、図示のように、搬送ベルトの上面側（用紙搬送面位置と同義）の高さ位置よりも前記ニップ部Ｎの方が高い位置を有しているが、同一面とすることもできる。
【０１０２】
上述の如き構成を有する転写材搬送装置８の動作について簡単に説明する。
【０１０３】
適宜の搬送手段によって搬送されてきた用紙Ｐは、タイミングを図って動作状態とされる検出手段Ｓ５およびＳ１０により、用紙の先端部におけるカールの大きさ、或いは凹凸のカール方向が前述の要領で検出され、次いで、駆動停止中のレジストローラ５５１に当接して停止する。
【０１０４】
次いで、前記用紙Ｐは像担持体上に形成されたトナー像の領域と用紙Ｐとが重畳するタイミングで駆動される前記レジストローラ５５１により転写領域に向けて送り出される。
【０１０５】
転写手段の作動により前記像担持体上のトナー像が転写された用紙Ｐは分離手段の作用により像担持体から分離され、次いで、転写材搬送装置８により継続して搬送される。
【０１０６】
このとき、吸引手段８２０は作動状態にあるので、前記用紙Ｐは搬送ベルトＢ１乃至Ｂ３の上面部位を介して当該搬送ベルト上に吸着される。
【０１０７】
このとき、前記検出手段Ｓ５，Ｓ１０の出力結果が、用紙Ｐのカールは「僅か」であると判断された場合、前記搬送ベルトの上面は水平状態（基準位置の意）のまま保たれる。
【０１０８】
また、前記検出手段の出力結果が、「凹カール大」と判断されると、駆動源が作動し、前記共通ローラ８０３は基準位置から下方の所定位置に位置変位手段を介して位置移動させられる（図４参照）。
【０１０９】
即ち、搬送ベルトＢ１乃至Ｂ３で構成される搬送ベルトの上面は、側面から見て、用紙Ｐの進行方向における中央部（中間部）が凹んだ状態にされる。
【０１１０】
逆に、前記検出手段の出力結果が「凸カール大」と判断されると、前記共通ローラ８０３は基準位置から上方の所定位置に位置変位手段を介して位置移動させられる（図５参照）。
【０１１１】
即ち、前記搬送ベルトの上面は、側面から見て、用紙Ｐの進行方向における中央部（中間部）が凸の状態にされる。
【０１１２】
上述のように、搬送ベルトの上面を、搬送方向における用紙の形状に類似した形状とすることにより、カールした用紙でも搬送ベルトに対する吸着効率を向上させることができる。
【０１１３】
例えば、葉書のように厚手で、かつ、小サイズである腰の強い用紙でもしっかりと搬送ベルト上に吸着させて搬送することができる。
【０１１４】
なお、前記共通ローラ８０３の位置移動の際、吸引手段８２０、ガイド板８０５と共通ローラとの相対的関係を保持するように構成することが望ましい。
【０１１５】
前記搬送ベルトで搬送された用紙Ｐは、位置固定ローラ８０１の直前で吸着手段８２０による作用から解放され、順次、搬送ベルトから分離して定着装置Ｔ１に送り込まれる。
【０１１６】
このとき、カールのない或いは小さなカールがかかった用紙Ｐは下側ガイドＴ２０の表面にガイドされながら、定着ローラＴ１と圧着ローラＴ２とのニップ部Ｎに至り定着処理される。
【０１１７】
また、凹カールの用紙Ｐは搬送ベルトから分離した後、上側ガイドＴ１０にガイドされながら前記ニップ部Ｎに至り定着処理される。
【０１１８】
また、凸カールの用紙Ｐは搬送ベルトから分離した後、下側ガイドＴ２０にガイドされながら前記ニップ部に至り、定着処理される。
【０１１９】
次に、転写材搬送装置の他の例を図７乃至図１０を用いて説明する。
【０１２０】
尚、既出の手段（部材）と同じ手段については同一の参照符号を付してあり、重複する説明はできる限り割愛し、また、基本的な構成についても図２に係わる説明で理解されると思われるので、異なる構成部分を主として簡略に説明する。
【０１２１】
図７は３連の搬送ベルトを転写材搬送手段とした転写材搬送装置の概略平面図であり、図８は、感光体ドラム上に形成したトナー像を直接転写材上に転写する態様の画像形成装置とした時の転写材搬送装置近傍を含めて示す説明用の側面図、図９は凹カールの用紙の搬送時における転写材搬送装置の態様を示す側面図、図１０は凸カールの用紙の搬送時における転写材搬送装置の態様を示す側面図であり、それぞれ、第１の例の図２乃至図５に対応している。
【０１２２】
図７に示す転写材搬送装置８において、位置固定ローラ８０１と共通ローラ８３０との間には搬送ベルトＢ５，Ｂ６が、軸方向において適宜の間隔をもって、懸架されている。
【０１２３】
また、共通ローラ８３０，８３５間には搬送ベルトＢ７が懸架され、共通ローラ８３５、位置固定ローラ８０２間には搬送ベルトＢ８，Ｂ９が懸架されている。
【０１２４】
前記搬送ベルトＢ５，Ｂ６とＢ８，Ｂ９とは軸方向において略同一領域に配設され、また、前記搬送ベルトＢ７は軸上の搬送ベルトＢ５，Ｂ６（搬送ベルトＢ８，Ｂ９）間に相当する領域に配設されている。
【０１２５】
２本の共通ローラ間にあるのはガイド板８８４である。
【０１２６】
前記の各搬送ベルトには多数の小孔が穿たれ、またそれぞれのループ状の搬送ベルト内部には吸引手段８２０が備えられている（図８参照）。
【０１２７】
前記転写材搬送装置８の基準位置は図８の通りであり、搬送ベルトの用紙搬送面は水平に保たれている。
【０１２８】
前記共通ローラ８３０，８３５は装置本体側の固定枠に対して、基準位置から上方位置および下方位置に一体的に直線移動ができるようになっており、その変位は前述した図６と基本的に同じ構成により達成することができる。
【０１２９】
斯様な構成の転写材搬送装置８の動作については、第１の例と同様であり、検出手段Ｓ５，Ｓ１０による検出結果に応じて、即ち、用紙Ｐのカールの大きさ、カールの方向に対応して、搬送等に支障を生じない程度のカールの大きさなら基準位置に置かれ、「凹カール大」の時は基準位置よりも下方の所定位置（図９参照）に移動され、また、「凸カール大」の時は基準位置よりも上方の所定位置に移動される（図１０参照）。
【０１３０】
上述のように、搬送ベルトの上面（用紙搬送面）を、搬送方向における用紙の形状に類似した形状とすることにより、カールした用紙でも搬送ベルトに対する吸着効率を向上させることができる。
【０１３１】
例えば、葉書のように厚手で、かつ、小サイズである腰の強い用紙でもしっかりと搬送ベルト上に吸着させて搬送することができ、安定して定着装置に送り込むことができる。
【０１３２】
なお、前記共通ローラ８０３の位置移動の際、吸引手段８２０、ガイド板８０５，８４０と共通ローラとの相対的関係を保持するように構成することが望ましいことは前述の通りであるが、ベルト搬送面上において所定の吸引力が得られる場合は、その必要はない。
【０１３３】
また、以上の例においては２連および３連の搬送手段を有する転写材搬送装置について述べたが、必要に応じて連の数を４連或いは５連等に適宜増やすことができることは言うまでもない。
【０１３４】
この場合も基本的な技術的思想は前記の態様と同じで、搬送ベルトを懸架するための両端に配置されるローラは位置固定ローラであり、それを除いたローラは共通ローラで位置変位できる。
【０１３５】
また、軸方向における搬送ベルトの数或いは大きさも適宜決定できるもので設計の自由度は広い。
【０１３６】
更に、吸引手段としての吸引ファンを搬送ベルトのループ内に具備させることに代えて、装置本体側に設置した吸引ファンの吸引力が所定の搬送ベルトの用紙搬送面に作用するように両部をダクトで繋ぐ構成とすることもできる。
【０１３７】
なお、共通ローラを介しての搬送ベルトの変位量等については実験によるデータを基に適宜に決定することができる。
【図面の簡単な説明】
【０１３８】
【図１】デジタルカラー複写機からなる画像形成装置の構成を示す概略図である。
【図２】２連の搬送ベルトを転写材搬送手段とした転写材搬送装置の概略平面図である。
【図３】感光体ドラム上に形成したトナー像を直接転写材上に転写する態様の画像形成装置とした時の転写材搬送装置近傍を含めて示す説明用の側面図である。
【図４】凹カールの用紙の搬送時における転写材搬送装置の態様を示す側面図である。
【図５】凸カールの用紙の搬送時における転写材搬送装置の態様を示す側面図である。
【図６】搬送ベルトの位置を変位せしめる機構の一例を示す部分図である。
【図７】３連の搬送ベルトを転写材搬送手段とした転写材搬送装置の概略平面図である。
【図８】感光体ドラム上に形成したトナー像を直接転写材上に転写する態様の画像形成装置とした時の転写材搬送装置近傍を含めて示す説明用の側面図である。
【図９】凹カールの用紙の搬送時における転写材搬送装置の態様を示す側面図である。
【図１０】凸カールの用紙の搬送時における転写材搬送装置の態様を示す側面図である。
【符号の説明】
【０１３９】
１  自動原稿送り装置
２  画像読み取り部
３  画像形成部
４  ベルトユニット
５  給紙部
８  転写材搬送装置
８０１，８０２  位置固定ローラ
８０３，８３０，８３５  共通ローラ
８２０  吸引手段
Ｂ１，Ｂ２，Ｂ３，Ｂ５，Ｂ６，Ｂ７，Ｂ８，Ｂ９  搬送ベルト
【図１】
2008185789.tif 000003
【図２】
2008185789.tif 000004
【図３】
2008185789.tif 000005
【図４】
2008185789.tif 000006
【図５】
2008185789.tif 000007
【図６】
2008185789.tif 000008
【図７】
2008185789.tif 000009
【図８】
2008185789.tif 000010
【図９】
2008185789.tif 000011
【図１０】
2008185789.tif 000012